【手続補正書】
【提出日】平成26年10月10日(2014.10.10)
【手続補正１】
【補正対象書類名】特許請求の範囲
【補正対象項目名】請求項１
【補正方法】変更
【補正の内容】
【請求項１】
複数種類の図柄を変動表示させる図柄変動ゲームを表示する表示装置と、遊技者が操作可能な演出用操作手段を備え、前記図柄変動ゲームにおいて予め定められた大当り結果が表示された場合には、遊技者に有利となる特別遊技が付与される遊技機において、
前記図柄変動ゲームにおける大当り結果を表示させるか否かを決定する大当り判定手段と、
大当り判定手段の判定結果に応じて、図柄変動ゲームにおける遊技演出の演出内容を決定する演出内容決定手段と、
前記演出内容決定手段が決定した演出内容の遊技演出を実行させる演出制御手段と、
前記演出内容決定手段が決定した演出内容の中に、予め決められた特定内容が含まれていた場合、特定内容の遊技演出が実行されている間に、操作演出を実行させる操作演出実行手段と、を備え、
前記操作演出は、操作有効期間中に演出用操作手段の操作が許容され、操作有効期間中に演出用操作手段が操作された場合に、大当り期待度に応じた内容の報知が行われる演出であり、
前記操作演出実行手段は、前記操作演出を実行させる場合、大当り期待度に応じて、操作有効期間の長さを異ならせ、
特定内容の遊技演出が実行される前の遊技演出の演出内容は、複数段階の表示画像が、予め決められた順序で段階的に表示される段階演出であり、
段階演出は、特定内容の遊技演出が実行されない場合、大当り期待度に応じて表示させる表示画像の段階数を異ならせており、
特定内容の遊技演出は、段階演出において表示させる表示画像の段階数に応じて、特定演出の遊技演出が実行される演出時間の長さを異ならせている一方、段階演出において表示させる表示画像の段階数が異なっていた場合であっても、図柄変動ゲームを基準としたときにおける特定内容の遊技演出が終了する時点は、同じであることを特徴とする遊技機。
【手続補正２】
【補正対象書類名】特許請求の範囲
【補正対象項目名】請求項２
【補正方法】変更
【補正の内容】
【請求項２】
複数種類の図柄を変動表示させる図柄変動ゲームを表示する表示装置と、遊技者が操作可能な演出用操作手段を備え、前記図柄変動ゲームにおいて予め定められた大当り結果が表示された場合には、遊技者に有利となる特別遊技が付与される遊技機において、
前記図柄変動ゲームにおける大当り結果を表示させるか否かを決定する大当り判定手段と、
大当り判定手段の判定結果に応じて、図柄変動ゲームにおける遊技演出の演出内容を決定する演出内容決定手段と、
前記演出内容決定手段が決定した演出内容の遊技演出を実行させる演出制御手段と、
前記演出内容決定手段が決定した演出内容の中に、予め決められた特定内容が含まれていた場合、特定内容の遊技演出が実行されている間に、操作演出を実行させる操作演出実行手段と、を備え、
前記操作演出は、操作有効期間中に演出用操作手段の操作が許容され、操作有効期間中に演出用操作手段が操作された場合に、大当り期待度に応じた内容の報知が行われる演出であり、
前記操作演出実行手段は、前記操作演出を実行させる場合、大当り期待度に応じて、操作有効期間の長さを異ならせるとともに、前記操作有効期間であることを前記表示装置によって遊技者に報知させることなく、設定する一方、前記操作有効期間中に、前記演出用操作手段が操作された場合には、少なくとも前記演出用操作手段が有効に操作されたことを報知させることを特徴とする遊技機。
【手続補正３】
【補正対象書類名】特許請求の範囲
【補正対象項目名】請求項３
【補正方法】変更
【補正の内容】
【請求項３】
前記演出制御手段が特定内容の遊技演出を実行させる場合、当該特定内容の遊技演出が実行される前の遊技演出の演出内容は、大当り期待度に係わらず同様の内容となっていることを特徴とする請求項１又は請求項２に記載の遊技機。
【手続補正４】
【補正対象書類名】明細書
【補正対象項目名】０００７
【補正方法】変更
【補正の内容】
【０００７】
上記問題点を解決するために、請求項１に記載の発明は、複数種類の図柄を変動表示させる図柄変動ゲームを表示する表示装置と、遊技者が操作可能な演出用操作手段を備え、前記図柄変動ゲームにおいて予め定められた大当り結果が表示された場合には、遊技者に有利となる特別遊技が付与される遊技機において、前記図柄変動ゲームにおける大当り結果を表示させるか否かを決定する大当り判定手段と、大当り判定手段の判定結果に応じて、図柄変動ゲームにおける遊技演出の演出内容を決定する演出内容決定手段と、前記演出内容決定手段が決定した演出内容の遊技演出を実行させる演出制御手段と、前記演出内容決定手段が決定した演出内容の中に、予め決められた特定内容が含まれていた場合、特定内容の遊技演出が実行されている間に、操作演出を実行させる操作演出実行手段と、を備え、前記操作演出は、操作有効期間中に演出用操作手段の操作が許容され、操作有効期間中に演出用操作手段が操作された場合に、大当り期待度に応じた内容の報知が行われる演出であり、前記操作演出実行手段は、前記操作演出を実行させる場合、大当り期待度に応じて、操作有効期間の長さを異ならせ、特定内容の遊技演出が実行される前の遊技演出の演出内容は、複数段階の表示画像が、予め決められた順序で段階的に表示される段階演出であり、段階演出は、特定内容の遊技演出が実行されない場合、大当り期待度に応じて表示させる表示画像の段階数を異ならせており、特定内容の遊技演出は、段階演出において表示させる表示画像の段階数に応じて、特定演出の遊技演出が実行される演出時間の長さを異ならせている一方、段階演出において表示させる表示画像の段階数が異なっていた場合であっても、図柄変動ゲームを基準としたときにおける特定内容の遊技演出が終了する時点は、同じであることを要旨とする。
【手続補正５】
【補正対象書類名】明細書
【補正対象項目名】０００８
【補正方法】変更
【補正の内容】
【０００８】
請求項２に記載の発明は、複数種類の図柄を変動表示させる図柄変動ゲームを表示する表示装置と、遊技者が操作可能な演出用操作手段を備え、前記図柄変動ゲームにおいて予め定められた大当り結果が表示された場合には、遊技者に有利となる特別遊技が付与される遊技機において、前記図柄変動ゲームにおける大当り結果を表示させるか否かを決定する大当り判定手段と、大当り判定手段の判定結果に応じて、図柄変動ゲームにおける遊技演出の演出内容を決定する演出内容決定手段と、前記演出内容決定手段が決定した演出内容の遊技演出を実行させる演出制御手段と、前記演出内容決定手段が決定した演出内容の中に、予め決められた特定内容が含まれていた場合、特定内容の遊技演出が実行されている間に、操作演出を実行させる操作演出実行手段と、を備え、前記操作演出は、操作有効期間中に演出用操作手段の操作が許容され、操作有効期間中に演出用操作手段が操作された場合に、大当り期待度に応じた内容の報知が行われる演出であり、前記操作演出実行手段は、前記操作演出を実行させる場合、大当り期待度に応じて、操作有効期間の長さを異ならせるとともに、前記操作有効期間であることを前記表示装置によって遊技者に報知させることなく、設定する一方、前記操作有効期間中に、前記演出用操作手段が操作された場合には、少なくとも前記演出用操作手段が有効に操作されたことを報知させることを要旨とする。
請求項３に記載の発明は、請求項１又は請求項２に記載の発明において、前記演出制御手段が特定内容の遊技演出を実行させる場合、当該特定内容の遊技演出が実行される前の遊技演出の演出内容は、大当り期待度に係わらず同様の内容となっていることを要旨とする。
【手続補正６】
【補正対象書類名】明細書
【補正対象項目名】０００９
【補正方法】削除
【補正の内容】